(57)【要約】  光透過性および可撓性を有する基材（２０）と、基材（２０）の少なくとも一方の面（２０ａ）側に互いに隣接して設けられた少なくとも２つの突起部を有するとともに、光透過性を有する複数の採光部（３０）と、を備えてなる採光装置（１０）。
2016175149.tif 000002
【特許請求の範囲】
【請求項１】
光透過性および可撓性を有する基材と、
前記基材の少なくとも一方の面側に互いに隣接して設けられた少なくとも２つの突起部を有するとともに、光透過性を有する複数の採光部と、を備える採光装置。
【請求項２】
前記複数の採光部は、前記基材の一方の面において隙間なく設けられる請求項１に記載の採光装置。
【請求項３】
前記基材の一方の面および他方の面の少なくとも一方側における、前記採光部と対向する位置に、前記採光部を透過した光を散乱する光散乱部が設けられる請求項１または２に記載の採光装置。
【請求項４】
前記採光部は、前記採光部に入射した光を散乱する光散乱部を有する請求項１〜３のいずれか１項に記載の採光装置。
【請求項５】
前記光拡散部は、光の散乱方向に異方性を有する請求項３または４に記載の採光装置。
【請求項６】
前記光拡散部に入射した光は、前記光拡散部内で散乱する請求項３〜５のいずれか１項に記載の採光装置。
【請求項７】
前記基材は、前記採光部を透過した光を散乱する光散乱特性を有する請求項１に記載の採光装置。
【請求項８】
前記基材は、光の散乱方向に異方性を示す請求項７に記載の採光装置。
【請求項９】
前記基材に入射した光は、前記基材内で散乱する請求項７または８に記載の採光装置。
【請求項１０】
前記採光部は、前記基材に対して糸状の物質で縫い付けられる請求項１〜９のいずれか１項に記載の採光装置。
【請求項１１】
前記採光部は、前記基材に対して粘着剤を介して固定される請求項１〜９のいずれか１項に記載の採光装置。
【請求項１２】
前記光散乱部は、前記基材に対して糸状の物質で縫い付けられる請求項３〜６、１０および１１のいずれか１項に記載の採光装置。
【請求項１３】
前記光散乱部は、前記基材に対して粘着剤を介して固定される請求項３〜６、１０および１１のいずれか１項に記載の採光装置。
【請求項１４】
前記基材の一端部が巻き芯に固定され、該巻き芯を中心として巻き取り可能である請求項１〜１３のいずれか１項に記載の採光装置。
【請求項１５】
採光装置と、
室内照明具と、
室内の明るさを検出する検出部と、
前記室内照明具と前記検出部とを制御する制御部と、を備え、
前記採光装置は、請求項１〜１４のいずれか１項に記載の採光装置である採光システム。
【発明の詳細な説明】
【技術分野】
【０００１】
本発明は、採光装置、採光システムに関する。
本願は、２０１５年４月３０日に、日本に出願された特願２０１５−０９３６２０号に基づき優先権を主張し、その内容をここに援用する。
【背景技術】
【０００２】
窓ガラスに入射する光を効率よく屋内に導くための技術として、例えば、透光性材料で作られたカーテンの少なくとも片面に、レンチキュラー、リニアプリズム、ピラミッド型プリズム等の光屈折性の微細構造を有する採光層が設けられてなる配光制御カーテンが知られている（例えば、特許文献１参照）。
【先行技術文献】
【特許文献】
【０００３】
【特許文献１】特開平６−３３６７１号公報
【発明の概要】
【発明が解決しようとする課題】
【０００４】
特許文献１に記載されている配光制御カーテンは、ロールスクリーンであるため、隙間なく巻き取るためには曲げ性が必要である。そのような曲げ性を実現するためには、採光層の厚さを薄くする必要がある。
しかしながら、採光層を薄くすると、採光層自体の強度が低下したり、採光層を作製する難易度が上がり、歩留まりが低下したりするという課題がある。また、採光層の厚さを薄くすると、微細形状も小さくしなければならない。微細構造の金型の作製や、それを転写する際のアライメント等を考慮すると、微細構造が小さくなるに伴って、それを作製する難易度が上昇する。また、微細構造が小さくなるに伴って、微細構造の基部となる平坦部の厚さも薄くなるが、平坦部の厚さが薄くなると、採光層の強度が低下するという課題がある。【０００５】
本発明のいくつかの態様は、上記事情に鑑みてなされたものであって、隙間なく巻き取ることができる採光装置およびそれを備えた採光システムを提供することを目的とする。
【課題を解決するための手段】
【０００６】
本発明の１つの態様の採光装置は、光透過性および可撓性を有する基材と、前記基材の一方の面側に互いに隣接して設けられた少なくとも２つの突起部を有するとともに、光透過性を有する複数の採光部と、を備え、前記複数の採光部は、前記基材の少なくとも一方の面において間隔を隔てて設けられる。【０００７】
本発明の１つの態様の採光装置において、前記複数の採光部は、前記基材の一方の面において隙間なく設けられたことが好ましい。【０００８】
本発明の１つの態様の採光装置において、前記基材の一方の面および他方の面の少なくとも一方側における、前記採光部と対向する位置に、前記採光部を透過した光を散乱する光散乱部が設けられたことが好ましい。【０００９】
本発明の１つの態様の採光装置において、前記採光部は、前記採光部に入射した光を散乱する光散乱部を有することが好ましい。【００１０】
本発明の１つの態様の採光装置において、前記光拡散部は、光の散乱方向に異方性を有することが好ましい。【００１１】
本発明の１つの態様の採光装置において、前記光拡散部に入射した光は、前記光拡散部内で散乱することが好ましい。【００１２】
本発明の１つの態様の採光装置において、前記基材は、前記採光部を透過した光を散乱する光散乱特性を有することが好ましい。【００１３】
本発明の１つの態様の採光装置において、前記基材は、光の散乱方向に異方性を示すことが好ましい。【００１４】
本発明の１つの態様の採光装置において、前記基材に入射した光は、前記基材内で散乱することが好ましい。【００１５】
本発明の１つの態様の採光装置において、前記採光部は、前記基材に対して糸状の物質で縫い付けられていることが好ましい。【００１６】
本発明の１つの態様の採光装置において、前記採光部は、前記基材に対して粘着剤を介して固定されていることが好ましい。【００１７】
本発明の１つの態様の採光装置において、前記光散乱部は、前記基材に対して糸状の物質で縫い付けられていることが好ましい。【００１８】
本発明の１つの態様の採光装置において、前記光散乱部は、前記基材に対して粘着剤を介して固定されていることが好ましい。【００１９】
本発明の１つの態様の採光装置において、前記基材の一端部が巻き芯に固定され、該巻き芯を中心として巻き取り可能であることが好ましい。【００２０】
本発明の１つの態様の採光システムは、採光装置と、室内照明具と、室内の明るさを検出する検出部と、前記室内照明具と前記検出部とを制御する制御部と、を備え、前記採光装置は、本発明の１つの態様の採光装置である。
【発明の効果】
【００２１】
本発明のいくつかの態様によれば、隙間なく巻き取ることができる採光装置およびそれを備えた採光システムを提供することができる。
【図面の簡単な説明】
【００２２】
【図１Ａ】本発明の第１実施形態である採光装置の概略構成を示す斜視図である。
【図１Ｂ】本発明の第１実施形態である採光装置の概略構成を示す側面図である。
【図１Ｃ】本発明の第１実施形態である採光装置の概略構成を示す側面図である。
【図２】本発明の第１実施形態である採光装置の概略構成を示す図であり、図１Ｃのαで示す部分を拡大した側面図である。
【図３Ａ】本発明の第１実施形態である採光装置の概略構成を示す側面図である。
【図３Ｂ】本発明の第１実施形態である採光装置の概略構成を示す側面図である。
【図３Ｃ】本発明の第１実施形態である採光装置の概略構成を示す側面図である。
【図４Ａ】本発明の第１実施形態である採光装置の概略構成を示す側面図である。
【図４Ｂ】本発明の第１実施形態である採光装置の概略構成を示す側面図である。
【図４Ｃ】本発明の第１実施形態である採光装置の概略構成を示す側面図である。
【図５Ａ】本発明の第１実施形態である採光装置の概略構成を示す側面図である。
【図５Ｂ】本発明の第１実施形態である採光装置の第１の概略構成を示す図であり、図５Ａのβで示す領域を拡大した側面図である。
【図５Ｃ】本発明の第１実施形態である採光装置の第１の概略構成を示す図であり、図５Ａのγで示す領域を拡大した側面図である。
【図５Ｄ】本発明の第１実施形態である採光装置の第２の概略構成を示す図であり、図５Ａのβで示す領域を拡大した側面図である。
【図５Ｅ】本発明の第１実施形態である採光装置の第２の概略構成を示す図であり、図５Ａのγで示す領域を拡大した側面図である。
【図６】本発明の第１実施形態である採光装置の製造方法の概略を示す模式図である。
【図７Ａ】本発明の第１実施形態である採光装置の製造方法の概略を示す斜視図である。
【図７Ｂ】本発明の第１実施形態である採光装置の製造方法の概略を示す斜視図である。
【図７Ｃ】本発明の第１実施形態である採光装置の製造方法の概略を示す斜視図である。
【図８Ａ】本発明の第１実施形態である採光装置の製造方法の概略を示す斜視図である。
【図８Ｂ】本発明の第１実施形態である採光装置の製造方法の概略を示す斜視図である。
【図８Ｃ】本発明の第１実施形態である採光装置の製造方法の概略を示す斜視図である。
【図９】本発明の第２実施形態である採光装置の概略構成を示す側面図である。
【図１０】本発明の第３実施形態である採光装置の概略構成を示す側面図である。
【図１１】本発明の第３実施形態である採光装置の概略構成を示す側面図である。
【図１２】本発明の第３実施形態である採光装置の概略構成を示す側面図である。
【図１３】本発明の第４実施形態である採光装置の概略構成を示す側面図である。
【図１４Ａ】本発明の第４実施形態である採光装置の製造方法の概略を示す図であり、製造工程を示す模式図である。
【図１４Ｂ】本発明の第４実施形態である採光装置の製造方法の概略を示す図であり、この製造方法によって形成された樹脂シートを示す断面図である。
【図１５Ａ】本発明の第４実施形態である採光装置の製造方法の概略を示す図であり、製造工程を示す斜視図である。
【図１５Ｂ】本発明の第４実施形態である採光装置の製造方法の概略を示す図であり、製造工程を示す斜視図である。
【図１５Ｃ】本発明の第４実施形態である採光装置の製造方法の概略を示す図であり、製造工程を示す斜視図である。
【図１５Ｄ】本発明の第４実施形態である採光装置の製造方法の概略を示す図であり、この製造方法によって形成された樹脂シートを示す断面図である。
【図１６】本発明の第５実施形態である採光装置の概略構成を示す側面図である。
【図１７】本発明の第６実施形態である採光装置の概略構成を示す側面図である。
【図１８Ａ】本発明の第７実施形態である採光装置の概略構成を示す側面図である。
【図１８Ｂ】本発明の第７実施形態である採光装置の概略構成を示す図であり、図１８Ａのδで示す部分を拡大した側面図である。
【図１９Ａ】本発明の第８実施形態である採光装置の概略構成を示す図であり、採光装置を伸ばした状態を示す側面図である。
【図１９Ｂ】本発明の第８実施形態である採光装置の概略構成を示す図であり、採光装置を巻き上げた状態を示す側面図である。
【図２０】本発明の第９実施形態である採光装置の概略構成を示す側面図である。
【図２１】本発明の第１０実施形態である採光装置の概略構成を示す側面図である。
【図２２】本発明の第１１実施形態である採光装置の概略構成を示す側面図である。
【図２３】本発明の第１２実施形態である採光装置の概略構成を示す模式図である。
【図２４Ａ】本発明の第１３実施形態である採光装置の概略構成を示す模式図である。
【図２４Ｂ】本発明の第１３実施形態である採光装置の概略構成を示す図であり、採光部を示す正面図である。
【図２４Ｃ】本発明の第１３実施形態である採光装置の概略構成を示す図であり、採光部を示す正面図である。
【図２５】本発明の第１４実施形態である採光装置の概略構成を示す模式図である。
【図２６】本発明の第１５実施形態である採光装置の概略構成を示す模式図である。
【図２７Ａ】本発明の第１６実施形態である採光装置の概略構成を示す全体図である。
【図２７Ｂ】本発明の第１６実施形態である採光装置の概略構成を示す図であり、図２７Ａの一部を拡大した図である。
【図２８Ａ】本発明の第１６実施形態である採光装置の概略構成を示す側面図である。
【図２８Ｂ】本発明の第１６実施形態である採光装置の概略構成を示す側面図である。
【図２９Ａ】本発明の第１７実施形態である採光装置の概略構成を示す斜視図である。
【図２９Ｂ】本発明の第１７実施形態である採光装置の概略構成を示す平面図である。
【図３０Ａ】本発明の第１８実施形態である採光装置の概略構成を示す斜視図である。
【図３０Ｂ】本発明の第１８実施形態である採光装置の概略構成を示す平面図である。
【図３１Ａ】本発明の第１９実施形態である採光装置の概略構成を示す斜視図である。
【図３１Ｂ】本発明の第１９実施形態である採光装置の概略構成を示す平面図である。
【図３２Ａ】本発明の第２０実施形態である採光装置の概略構成を示す側面図である。
【図３２Ｂ】本発明の第２０実施形態である採光装置の概略構成を示す図であり、図３２Ａの一部を拡大した側面図である。
【図３３Ａ】本発明の第２０実施形態である採光装置の製造方法の概略を示す斜視図である。
【図３３Ｂ】本発明の第２０実施形態である採光装置の製造方法の概略を示す斜視図である。
【図３３Ｃ】本発明の第２０実施形態である採光装置の製造方法の概略を示す斜視図である。
【図３３Ｄ】本発明の第２０実施形態である採光装置の製造方法の概略を示す斜視図である。
【図３４】採光装置および照明調光システムを備えた部屋モデルであって、図３５のＪ−Ｊ’線に沿う断面図である。
【図３５】部屋モデルの天井を示す平面図である。
【発明を実施するための形態】
【００２３】
本発明の採光装置、採光システムの実施の形態について説明する。
なお、本実施の形態は、発明の趣旨をより良く理解させるために具体的に説明するものであり、特に指定のない限り、本発明を限定するものではない。
また、以下の説明で用いる図面は、本発明の実施の形態の特徴を分かりやすくするために、便宜上、要部となる部分を拡大して示している場合があり、各構成要素の寸法比率等が実際と同じであるとは限らない。
【００２４】
［第１実施形態］
（採光装置）
図１Ａ〜図１Ｃは、本発明の第１実施形態である採光装置の概略構成を示す図であり、図１Ａは斜視図、図１Ｂは側面図、図１Ｃは側面図である。図２は、本発明の第１実施形態である採光装置の概略構成を示す図であり、図１Ｃのαで示す部分を拡大した側面図である。
本実施形態の採光装置１０は、光透過性および可撓性を有する基材２０と、基材２０の一方の面（光入射面、屋外側に向く面）２０ａに、互いに隣接して設けられた突起部３１を有するとともに、光透過性を有する複数の採光部３０と、採光部３０が設けられた基材２０を巻き取る巻き芯４０と、を備えている。
【００２５】
図２に示すように、採光部３０は、光透過性を有する支持基材３２と、支持基材３２の一方の面３２ａに互いに隣接して設けられた光透過性を有する突起部３１と、を有する。
突起部３１は、その長手方向が、例えば、採光装置１０が設置される窓ガラスの高さ方向と垂直な方向、すなわち、基材２０の長手方向と垂直な方向に延在するように、基材２０の一方の面２０ａに設けられている。また、突起部３１は、その長手方向と垂直な断面の形状が、多角（五角以上）形状をなしている。
また、複数の採光部３０は、基材２０の一方の面２０ａにおいて、基材２０の長手方向（巻き取り方向）に沿って、互いに所定の間隔を置いて設けられている。
【００２６】
基材２０の一端部は、巻き芯４０に固定されている。これにより、採光部３０が設けられた基材２０は、巻き芯４０を中心として巻き取り可能となっている。
【００２７】
基材２０としては、光透過性および可撓性を有するものであれば特に限定されないが、例えば、トリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の光透過性のフィルム（基材）や、光を透過することができる（織密度の低い）織物（織布）等が用いられる。
【００２８】
基材２０には、光透過性や可撓性を損なわない範囲で、紫外線吸収剤や赤外線吸収剤が含まれていてもよい。
また、基材２０には、光透過性や可撓性を損なわない範囲で、種々のデザインが施されていてもよい。
【００２９】
採光部３０を構成する材料としては、光透過性を有するものであれば特に限定されないが、例えば、基材２０を構成する材料と同様のものが用いられる。
【００３０】
本実施形態の採光装置１０によれば、光透過性および可撓性を有する基材２０と、基材２０の一方の面２０ａに、互いに隣接して設けられた突起部３１を有するとともに、光透過性を有する複数の採光部３０と、採光部３０が設けられた基材２０を巻き取る巻き芯４０と、を備えているため、採光部３０が設けられた基材２０を、巻き芯４０を中心として隙間なく巻き取ることができる。また、本実施形態の採光装置１０によれば、複数の採光部３０が互いに所定の間隔を置いて設けられているため、基材２０の一方の面２０ａおよび他方の面（一方の面２０ａとは反対側の面）２０ｂのずれか一方の面を内側にして、採光部３０が設けられた基材２０を隙間なく巻き取ることができる。
【００３１】
なお、本実施形態では、基材２０の一方の面（光入射面、屋外側に向く面）２０ａに採光部３０が設けられた場合を例示したが、本発明はこれに限定されない。本発明にあっては、基材の他方の面（光入射面とは反対側の面、屋内側に向く面）に採光部が設けられていてもよい。また、本発明にあっては、基材の一方の面および他方の面に採光部が設けられていてもよい。
また、本実施形態では、支持基材３２の一方の面３２ａに突起部３１が設けられた場合を例示したが、本発明はこれに限定されない。本発明にあっては、光透過性および可撓性を有する基材の一方の面および他方の面の少なくともいずれか一方に直接、採光部の突起部が設けられていてもよい。
また、本実施形態では、採光部３０に突起部３１が設けられた場合を例示したが、本発明はこれに限定されない。本発明にあっては、採光部に互いに隣接する少なくとも２つの突起部が設けられていればよい。
また、本実施形態では、採光部の突起部３１は、その長手方向と垂直な断面の形状が、多角形状をなしている場合を例示したが、本発明はこれに限定されない。本発明にあっては、採光部の突起部は、その長手方向と垂直な断面の形状が、三角形状、曲面を有する形状であってもよい。
【００３２】
また、本実施形態では、複数の採光部３０は、基材２０の一方の面２０ａにおいて、互いに所定の間隔を置いて設けられている場合を例示したが、本実施形態はこれに限定されない。本実施形態にあっては、図３Ａ〜図３Ｃに示すように、複数の採光部３０が、基材２０の一方の面２０ａにおいて隙間なく設けられていてもよい。なお、この場合の「基材２０の一方の面２０ａ」とは、光入射面であっても、光入射面とは反対側の面であってもよい。
【００３３】
複数の採光部３０が、基材２０の一方の面２０ａにおいて隙間なく設けられている場合、図３Ｂに示すように、基材２０は、採光部３０が設けられている面とは反対側の面（他方の面２０ｂ）側に曲げられて、巻き取られる。図３Ｂに示すように、基材２０を、採光部３０が設けられている面とは反対側の面（他方の面２０ｂ）側に曲げると、採光部３０同士の間に隙間４０が生じるため、採光部３０が設けられた基材２０を隙間なく巻き取ることができる。
一方、図３Ｃに示すように、基材２０を、採光部３０が設けられている面（一方の面２０ａ）側に曲げると、採光部３０同士が干渉するため、採光部３０が設けられた基材２０を巻き取ることが難しくなる。
【００３４】
また、本実施形態では、複数の採光部３０が、基材２０の一方の面２０ａに直接設けられている場合を例示したが、本実施形態はこれに限定されない。本実施形態にあっては、図４Ａに示すように、採光部３０は、基材２０に対して糸状の物質５１で縫い付けられていてもよい。また、本実施形態にあっては、図４Ｂに示すように、採光部３０は、採光部３０と基材２０の一方の面２０ａとの間にのみ設けられた粘着剤５２を介して固定されていてもよい。また、本実施形態にあっては、図４Ｃに示すように、採光部３０は、基材２０の一方の面２０ａ全面に設けられた粘着剤５３を介して固定されていてもよい。
粘着剤５２，５３は、光透過性であれば特に限定されない。
【００３５】
また、本実施形態では、複数の採光部３０同士の間隔が一定である場合を例示したが、本実施形態はこれに限定されない。本実施形態にあっては、基材２０のうち、巻き芯４０から遠い領域においては、図５Ｂおよび図５Ｄに示すように、複数の採光部３０同士の間隔を短くしてもよい。基材２０のうち、巻き芯４０から遠い領域は、巻き芯４０に巻き付けた場合に、曲率半径が大きくなるため、図５Ｂに示すように、採光部３０の突起部３１を巻き芯４０側に向けても、あるいは、図５Ｄに示すように、採光部３０の突起部３１を巻き芯４０とは反対側に向けても、複数の採光部３０同士の間隔が短くても、基材２０を隙間なく巻き付けることができる。
一方、基材２０のうち、巻き芯４０から近い領域においては、図５Ｃおよび図５Ｅに示すように、複数の採光部３０同士の間隔を長くする。基材２０のうち、巻き芯４０から近い領域は、巻き芯４０に巻き付けた場合に、曲率半径が小さくなるため、図５Ｂに示すように、採光部３０の突起部３１を巻き芯４０側に向けても、あるいは、図５Ｄに示すように、採光部３０の突起部３１を巻き芯４０とは反対側に向けても、複数の採光部３０同士の間隔が短くても、基材２０を隙間なく巻き付けることができる。なお、基材２０のうち、巻き芯４０から近い領域においては、複数の採光部３０同士が干渉しないように、複数の採光部３０同士の間隔を長くする必要がある。
【００３６】
（採光装置の製造方法）
図６〜図８Ｃを参照して、本実施形態の採光装置の製造方法の一例を説明する。
採光部３０となる樹脂シートを作製する。樹脂シートは、例えば、下記の２つの方法で作製される。
第１の方法では、図６に示すように、一対のローラー６０，６０を回転させて、ロール状に巻かれた樹脂シート７０を送り出す。
樹脂シート７０としては、基材２０と同様の材質の樹脂シートが用いられる。
次いで、樹脂塗布装置６１により、樹脂シート７０の一方の面７０ａに光硬化性樹脂８０を塗布する。
次いで、光硬化性樹脂８０に、回転する転写ロール金型６２の転写面６２ａを押圧すると同時に、光硬化性樹脂８０に、紫外線等の光６３を照射する。これにより、樹脂シート７０の長手方向に沿って、光硬化性樹脂８０に、転写ロール金型６２の転写面６２ａに形成された凹凸形状を転写して、樹脂シート７０の一方の面７０ａに、光硬化性樹脂８０からなる突起部８１を形成する。
【００３７】
次いで、裁断装置６４により、突起部８１が形成された樹脂シート７０を、樹脂シート７０の長手方向と垂直な方向に裁断し、一方の面側に所定の長さ（大きさ）の突起部８１が形成された樹脂シート７１を形成する。
【００３８】
第２の方法では、まず、図７Ａに示すように、樹脂基材９０に、その一方の面（転写面）１００ａに凹凸形状が形成された金型１００を重ねる。
樹脂基材９０としては、例えば、光透過性の熱硬化性樹脂からなる基材Ａ、光透過性の樹脂基材の一面に、光透過性の光硬化性樹脂からなる硬化層が形成された基材Ｂが用いられる。
【００３９】
次いで、図７Ｂに示すように、樹脂基材９０の一方の面９０ａに、金型１００の転写面１００ａを押圧し、樹脂基材９０の一方の面９０ａに、金型１００の転写面１００ａに形成された凹凸形状を転写する。樹脂基材９０として基材Ｂを用いる場合、硬化層に金型１００の転写面１００ａを押圧し、硬化層に、金型１００の転写面１００ａに形成された凹凸形状を転写する。
樹脂基材９０として基材Ａを用いる場合、樹脂基材９０に金型１００を押圧した状態で、樹脂基材９０に熱を加える。すると、樹脂基材９０の一方の面９０ａに転写された、金型１００の凹凸形状が固定されて、図７Ｃに示すように、樹脂基材９０の一方の面９０ａに、突起部９１が形成される。
また、樹脂基材９０として基材Ｂを用いる場合、樹脂基材９０に金型１００を押圧した状態で、樹脂基材９０に紫外線等の光を照射する。すると、樹脂基材９０の一方の面９０ａに転写された、金型１００の凹凸形状が固定されて、図７Ｃに示すように、樹脂基材９０の一方の面９０ａ（硬化層）に、突起部９１が形成される。
【００４０】
次に、図８Ａに示すように、突起部８１が形成された樹脂シート７１または突起部９１が形成され樹脂基材９０を、突起部６１または突起部９１の長手方向に沿って（例えば、破線１１０に沿って）で裁断し、図８Ｂに示すように、所定の長さ（大きさ）の突起部３１が形成された採光部３０を形成する。
【００４１】
次に、図８Ｃに示すように、基材２０の一方の面２０ａに、複数の採光部３０を配設し、採光装置１０を得る。
採光部３０は、その突起部３１が、その長手方向が、基材２０の長手方向と垂直な方向に延在するように、基材２０の一方の面２０ａに設けられる。
【００４２】
［第２実施形態］
（採光装置）
図９は、本発明の第２実施形態である採光装置の概略構成を示す側面図である。図９において、図２に示した第１実施形態の採光装置と同一の構成要素には同一符号を付して、その説明を省略する。
本実施形態の採光装置１２０は、光透過性および可撓性を有する基材２０と、基材２０の一方の面２０ａに、互いに隣接して設けられた突起部３１を有するとともに、光透過性を有する複数の採光部３０と、基材２０の他方の面２０ｂにおける、採光部３０と対向する位置に設けられ、採光部３０を透過した光を散乱する光散乱部１３０と、採光部３０が設けられた基材２０を巻き取る図示略の巻き芯と、を備えている。
【００４３】
採光部３０は、基材２０の一方の面２０ａに設けられた粘着剤１４１を介して固定されている。また、光散乱部１３０は、基材２０の一方の面２０ｂに設けられた粘着剤１４２を介して固定されている。
粘着剤１４１は、光透過性であれば特に限定されない。
光散乱部１３０は、互いに隣接して設けられた複数の突起部１３１を有する。
【００４４】
第１実施形態の採光装置１０のように、採光部３０のみを有する場合、屋内の狭い範囲にしか光を照射できないばかりでなく、グレア光が生じるという課題がある。そこで、本実施形態の採光装置１２０によれば、基材２０の他方の面２０ｂにおける、採光部３０と対向する位置に、採光部３０を透過した光を散乱する光散乱部１３０が設けられているため、出射光の範囲を広げて、屋内の広い範囲に光を照射できる上に、グレア光を和らげることができる。
【００４５】
なお、本実施形態では、採光部３０と光散乱部１３０の基材２０の一方の面２０ａまたは他方の面２０ｂに沿う大きさ（幅）がほぼ等しい場合を例示したが、本発明はこれに限定されない。本発明にあっては、採光部と光散乱部の基材の一方の面または他方の面に沿う大きさ（幅）が互いに異なっていてもよい。
また、光散乱部１３０における光の散乱は、等方散乱であっても、異方性散乱であってもよい。光散乱部１３０における光の散乱が異方性散乱であれば、グレア光を増やすことなく、光を広げる（拡散する）ことができる。
また、本実施形態では、複数の光散乱部１３０が、基材２０の他方の面２０ｂに直接設けられている場合を例示したが、本発明はこれに限定されない。本発明にあっては、光散乱部は、基材に対して糸状の物質で縫い付けられていてもよい。また、本発明にあっては、光散乱部は、光散乱部と基材の他方の面との間にのみ設けられた粘着剤を介して固定されていてもよい。また、本発明にあっては、光散乱部は、基材の他方の面全面に設けられた粘着剤を介して固定されていてもよい。
光散乱部を固定するための粘着剤は、光透過性であれば特に限定されない。
【００４６】
［第３実施形態］
（採光装置）
図１０は、本発明の第３実施形態である採光装置の概略構成を示す側面図である。図１０において、図１Ａ〜図１Ｃに示した第１実施形態の採光装置および図９に示した第２実施形態の採光装置と同一の構成要素には同一符号を付して、その説明を省略する。
本実施形態の採光装置１５０は、光透過性および可撓性を有する基材２０と、基材２０の一方の面２０ａ側に、互いに隣接して設けられた突起部３１を有するとともに、光透過性を有する複数の採光部３０と、基材２０の一方の面２０ａにおける、採光部３０と対向する位置に設けられ、採光部３０を透過した光を散乱する光散乱部１３０と、採光部３０が設けられた基材２０を巻き取る図示略の巻き芯と、を備えている。
【００４７】
本実施形態の採光装置１５０では、採光部３０と光散乱部１３０が積層、一体化された積層体をなし、その積層体が基材２０の一方の面２０ａに設けられた粘着剤１６０を介して固定されている。
粘着剤１６０は、光透過性であれば特に限定されない。
図１１に示すように、採光部３０と光散乱部１３０は、粘着剤１７０を介して積層されていてもよい。
また、図１２に示すように、光透過性の基材１８０の一方の面１８０ａに、採光部３０の突起部３１のみが設けられ、基材１８０の他方の面１８０ｂに、光散乱部１３０の突起部１３１のみが設けられて、採光部３０と光散乱部１３０が積層、一体化された積層体をなしていてもよい。
【００４８】
本実施形態の採光装置１５０によれば、基材２０の他方の面２０ｂにおける、採光部３０と対向する位置に、採光部３０を透過した光を散乱する光散乱部１３０が設けられているため、出射光の範囲を広げて、屋内の広い範囲に光を照射できる上に、グレア光を和らげることができる。
【００４９】
［第４実施形態］
（採光装置）
図１３は、本発明の第４実施形態である採光装置の概略構成を示す側面図である。図１３において、図１Ａ〜図１Ｃに示した第１実施形態の採光装置と同一の構成要素には同一符号を付して、その説明を省略する。
本実施形態の採光装置１９０は、光透過性および可撓性を有する基材２０と、基材２０の一方の面２０ａ側に、互いに隣接して設けられた突起部３１を有するとともに、光透過性を有する複数の採光部３０と、基材２０の一方の面２０ａにおける、採光部３０と対向する位置に設けられ、採光部３０を透過した光を散乱する光散乱部２００と、採光部３０が設けられた基材２０を巻き取る図示略の巻き芯と、を備えている。
【００５０】
本実施形態の採光装置１９０では、採光部３０と光散乱部２００が、粘着剤２１０を介して、積層、一体化された積層体をなし、その積層体が基材２０の一方の面２０ａに固定されている。
粘着剤２１０は、光透過性であれば特に限定されない。
【００５１】
光散乱部２００は、例えば、光透過性の粘着剤からなる粘着層２０１内に、多数の針状のフィラー２０２が含まれる異方性拡散粘着フィルムからなる。
多数のフィラー２０２は、粘着層２０１内において一方向に配向している。例えば、図１３では、多数のフィラー２０２は、基材２０の長手方向と垂直な方向に配向している。
フィラー２０２を配向させることにより、採光部３０を透過し、光散乱部２００に入射した光を、フィラー２０２の配向方向と直交する方向に拡散（散乱）することができる。
【００５２】
本実施形態の採光装置１９０によれば、基材２０の他方の面２０ｂにおける、採光部３０と対向する位置に、採光部３０を透過した光を散乱する光散乱部２００が設けられているため、出射光の範囲を広げて、屋内の広い範囲に光を照射できる上に、グレア光を和らげることができる。
【００５３】
（採光装置の製造方法）
図１４Ａ、図１４Ｂ、図１５Ａ〜図１５Ｄを参照して、本実施形態の採光装置の製造方法の一例を説明する。
採光部３０と光散乱部２００の積層体となる樹脂シートを作製する。樹脂シートは、例えば、下記の２つの方法で作製される。
第１の方法では、図１４Ａに示すように、一対のローラー２２０，２２０を回転させて、ロール状に巻かれた樹脂シート２３０を送り出す。
樹脂シート２３０としては、図１４Ｂに示すように、基材２０と同様の材質からなり、多数の針状のフィラー２３２を含むシートが用いられる。
次いで、樹脂塗布装置２２１により、樹脂シート２３０の一方の面２３０ａに光硬化性樹脂２４０を塗布する。
次いで、光硬化性樹脂２４０に、回転する転写ロール金型２２２の転写面２２２ａを押圧すると同時に、光硬化性樹脂２４０に、紫外線等の光２２３を照射する。これにより、樹脂シート２４０の長手方向に沿って、光硬化性樹脂２４０に、転写ロール金型２２２の転写面２２２ａに形成された凹凸形状を転写して、樹脂シート２３０の一方の面２３０ａに、光硬化性樹脂２４０からなる突起部２４１を形成する。
なお、樹脂シート２３０における突起部２４１が設けられていない面に、粘着シートを貼付してもよい。
【００５４】
次いで、裁断装置２２４により、突起部２４１が形成された樹脂シート２３０を、樹脂シート２３０の長手方向と垂直な方向に裁断し、図１４Ｂに示すように、一方の面側に所定の長さ（大きさ）の突起部２４１が形成され、樹脂シート２３０が多数のフィラー２３２を含む樹脂シート２３１を形成する。
【００５５】
第２の方法では、まず、図１５Ａに示すように、樹脂基材２５０に、その一方の面（転写面）２５０ａに凹凸形状が形成された金型２６０を重ねる。
樹脂基材２５０としては、例えば、光透過性の熱硬化性樹脂からなり、一面側に多数の針状のフィラーが偏在する基材Ｃ、光透過性の樹脂基材の一面に、光透過性の光硬化性樹脂からなからなり、多数の針状のフィラーが含まれる硬化層が形成された基材Ｄが用いられる。
【００５６】
次いで、図１５Ｂに示すように、樹脂基材２５の一方の面２５０ａに、金型２６０の転写面２６０ａを押圧し、樹脂基材２５０の一方の面２５０ａに、金型２６０の転写面２６０ａに形成された凹凸形状を転写する。樹脂基材２５０として基材Ｄを用いる場合、硬化層に金型２６０の転写面２６０ａを押圧し、硬化層に、金型２６０の転写面２６０ａに形成された凹凸形状を転写する。
樹脂基材２５０として基材Ｃを用いる場合、樹脂基材２５０における多数の針状のフィラーが偏在している面とは反対側の面に、金型２６０の転写面２６０ａを押圧した状態で、樹脂基材２５０に熱を加える。すると、樹脂基材２５０の一方の面２５０ａに転写された、金型２６０の凹凸形状が固定されて、図１５Ｃに示すように、樹脂基材２５０の一方の面２５０ａに、突起部２５１が形成される。
また、樹脂基材２５０として基材Ｄを用いる場合、樹脂基材２５０に金型２６０を押圧し状態で、樹脂基材２５０に紫外線等の光を照射する。すると、樹脂基材２５０の一方の面２５０ａに転写された、金型２６０の凹凸形状が固定されて、図１５Ｃに示すように、樹脂基材２５０の一方の面２５０ａ（硬化層）に、突起部２５１が形成される。
これにより、図１５Ｄに示すように、一方の面側に所定の長さ（大きさ）の突起部２５１が形成された採光部と、多数の針状のフィラー２５２を含む光散乱部とが積層された樹脂シート２５０Ａを形成する。
【００５７】
以下、第１の実施形態と同様にして、基材２０の一方の面２０ａに、複数の採光部３０を配設し、採光装置１９０を得る。
【００５８】
［第５実施形態］
（採光装置）
図１６は、本発明の第５実施形態である採光装置の概略構成を示す側面図である。図１６において、図２に示した第１実施形態の採光装置と同一の構成要素には同一符号を付して、その説明を省略する。
本実施形態の採光装置３４０は、光透過性および可撓性を有する基材３５０と、基材３５０の一方の面（光入射面、屋外側に向く面）３５０ａに、互いに隣接して設けられた突起部３１を有するとともに、光透過性を有する複数の採光部３０と、採光部３０が設けられた基材３５０を巻き取る図示略の巻き芯と、を備えている。
【００５９】
基材３５０は、その他方の面３５０ｂに互いに隣接して設けられた複数の突起部（光散乱部）３５１を有する。基材３５０に設けられた複数の突起部３５１は、採光部３０を透過した光を散乱する光散乱特性を有する。
【００６０】
本実施形態の採光装置３４０によれば、基材３５０の他方の面３５０ｂに、採光部３０を透過した光を散乱する突起部３５１が設けられているため、出射光の範囲を広げて、屋内の広い範囲に光を照射できる上に、グレア光を和らげることができる。
【００６１】
また、突起部３５１における光の散乱は、等方散乱であっても、異方性散乱であってもよい。突起部３５１における光の散乱が異方性散乱であれば、グレア光を増やすことなく、光を広げる（拡散する）ことができる。
【００６２】
［第６実施形態］
（採光装置）
図１７は、本発明の第６実施形態である採光装置の概略構成を示す側面図である。図１７において、図２に示した第１実施形態の採光装置と同一の構成要素には同一符号を付して、その説明を省略する。
本実施形態の採光装置３６０は、光透過性および可撓性を有する基材３７０と、基材３７０の一方の面（光入射面、屋外側に向く面）３７０ａに、互いに隣接して設けられた突起部３１を有するとともに、光透過性を有する複数の採光部３０と、採光部３０が設けられた基材３７０を巻き取る図示略の巻き芯と、を備えている。
【００６３】
基材３７０は、例えば、光透過性の樹脂からなる樹脂層３７１内に、多数の針状のフィラー３７２が含まれる異方性拡散フィルムからなる。
多数のフィラー３７２は、樹脂層３７１内において一方向に配向している。例えば、図１７では、多数のフィラー３７２は、基材３７０の長手方向と垂直な方向に配向している。フィラー３７２を配向させることにより、採光部３０を透過し、基材３７０に入射した光を、基材３７０内でフィラー３７２の配向方向と直交する方向に拡散（散乱）させることができる。
【００６４】
本実施形態の採光装置３６０によれば、基材３７０が、樹脂層３７１と、その中に含まれる多数の針状のフィラー３７２とからなる異方性拡散フィルムからなるため、採光部３０を透過し、基材３７０に入射した光が出射する範囲を広げて、屋内の広い範囲に光を照射できる上に、グレア光を和らげることができる。
【００６５】
［第７実施形態］
（採光装置）
図１８Ａ及び図１８Ｂは、本発明の第７実施形態である採光装置の概略構成を示す図であり、図１８Ａは側面図、図１８Ｂは図１８Ａのδで示す部分を拡大した側面図である。図１８Ａ及び図１８Ｂにおいて、図１Ａ〜図１Ｃおよび図２に示した第１実施形態の採光装置と同一の構成要素には同一符号を付して、その説明を省略する。
本実施形態の採光装置３８０は、光透過性および可撓性を有する基材３９０と、基材３９０の一方の面（光入射面、屋外側に向く面）３９０ａに、互いに隣接して設けられた突起部３１を有するとともに、光透過性を有する複数の採光部３０と、互いに隣接して設けられた複数の突起部（光散乱部）４０１を有し、その突起部４０１が採光部３０に対向するように、基材３９０の一方の面３９０ａに対向して設けられた光拡散シート４００と、採光部３０が設けられた基材３９０および光拡散シート４００を巻き取る巻き芯４０と、を備えている。
【００６６】
基材３９０の一端部および光拡散シート４００の一端部は、巻き芯４０に固定されている。これにより、採光部３０が設けられた基材３９０および突起部４０１が設けられた光拡散シート４００は、巻き芯４０を中心として巻き取り可能となっている。基材３９０と光拡散シート４００は、それぞれ独立して、巻き芯４０に固定されている。
光拡散シート４００は、基材３９０よりも屋外側に設けられている。光拡散シート４００に設けられた複数の突起部４０１は、光拡散シート４００に入射した光の入射角度の違いを和らげて、光を採光部３０に入射する光散乱特性を有する。
【００６７】
光拡散シート４００が、基材３９０よりも屋外側に設けられる場合、光拡散シート４００には紫外線吸収剤が含まれていてもよい。これにより、採光部３０を紫外線から保護し、採光部３０が紫外線により劣化することを防止できる。
【００６８】
本実施形態の採光装置３８０によれば、突起部４０１が設けられた光拡散シート４００が、採光部３０が設けられた基材３９０よりも屋外側に設けられ、突起部４０１が採光部３０に対向するように、基材３９０に対向して光拡散シート４００が設けられているため、突起部４０１が屋外から光拡散シート４００に入射した光の入射角度の違いを和らげて、光を採光部３０に入射することにより、グレア光を和らげることができる。また、基材３９０における採光部３０が設けられている面（一方の面３９０ａ）に対向するように、光拡散シート４００を設けることにより、採光部３０がむきだしになって、損傷することを防止できる。
【００６９】
なお、本実施形態では、突起部４０１が設けられた光拡散シート４００が、採光部３０が設けられた基材３９０よりも屋外側に設けられた場合を例示したが、本発明はこれに限定されない。本発明にあっては、突起部が設けられた光拡散シートが、採光部が設けられた基材よりも屋内側に設けられていてもよい。突起部が設けられた光拡散シートが、採光部が設けられた基材よりも屋内側に設けられることにより、採光部を透過した光が出射する範囲を広げて、屋内の広い範囲に光を照射できる。
また、本実施形態では、基材３９０と光拡散シート４００が、それぞれ独立して、巻き芯４０に固定されている場合を例示したが、本発明はこれに限定されない。本発明にあっては、突起部が設けられた光拡散シートが、粘着テープや粘着剤等を介して、採光部が設けられた基材に固定されていてもよい。
【００７０】
［第８実施形態］
（採光装置）
図１９Ａ及び図１９Ｂは、本発明の第８実施形態である採光装置の概略構成を示す図であり、図１９Ａは採光装置を伸ばした状態を示す側面図、図１９Ｂは採光装置を巻き上げた状態を示す側面図である。図１９Ａ及び図１９Ｂにおいて、図１Ａ〜図１Ｃに示した第１実施形態の採光装置と同一の構成要素には同一符号を付して、その説明を省略する。
本実施形態の採光装置４１０は、光透過性および可撓性を有する基材２０と、基材２０の一方の面（光入射面、屋外側に向く面）２０ａに、互いに隣接して設けられた突起部を有するとともに、光透過性を有する複数の採光部３０と、採光部３０が設けられた基材２０を巻き取る巻き芯４０と、基材２０における巻き芯４０に固定されている端部（一端部）とは反対側の端部（他端部）が固定された固定用吊り金具４２０と、基材２０を巻き上げるために用いられる巻き上げ用紐４３０と、を備えている。
【００７１】
本実施形態の採光装置４１０では、基材２０の一端部に接続された巻き芯４０が、採光装置４１０が設置される窓ガラスの下方側（屋内の床側）に配置され、基材２０の他端部に接続された固定用吊り金具４２０が、前記の窓ガラスの上方側（屋内の天井側）に配置される。
【００７２】
また、巻き上げ用紐４３０は、両端が固定用吊り金具４２０に固定され、採光装置４１０が設置される窓ガラスの下方側にループ状をなして垂れ下がっている。そして、巻き上げ用紐４３０によって形成されるループに、巻き芯４０および採光部３０が設けられた基材２０が挿通されている。これにより、巻き芯４０および採光部３０が設けられた基材２０が、巻き上げ用紐４３０によって形成されるループによって支持されている。
【００７３】
本実施形態の採光装置４１０によれば、巻き芯４０および採光部３０が設けられた基材２０が、固定用吊り金具４２０に固定された巻き上げ用紐４３０によって形成されるループによって支持されているため、採光部３０が設けられた基材２０を、固定用吊り金具４２０側に巻き上げることができる。また、基材２０の一端部に接続された巻き芯４０を、採光装置４１０が設置される窓ガラスの下方側に配置することにより、巻き芯４０が錘となるから、採光装置４１０を用いて採光する際、窓ガラスに対して採光装置４１０を平坦な状態で配置することができる。
【００７４】
［第９実施形態］
（採光装置）
図２０は、本発明の第９実施形態である採光装置の概略構成を示す側面図である。図２０において、図１Ａ〜図１Ｃに示した第１実施形態の採光装置と同一の構成要素には同一符号を付して、その説明を省略する。
本実施形態の採光装置４４０は、光透過性および可撓性を有する基材２０と、基材２０の一方の面（光入射面、屋外側に向く面）２０ａに、互いに隣接して設けられた突起部を有するとともに、光透過性を有する複数の採光部３０と、採光部３０が設けられた基材２０を巻き取る巻き芯４０と、を備えている。
【００７５】
本実施形態の採光装置４４０では、基材２０が、その長手方向と垂直な方向に設けられた折線２１にて折り曲げ可能となっている。この折線２１にて、基材２０が山折りまたは谷折りされて、基材２０が、その長手方向において蛇腹折りされている。また、折線２１にて、基材２０が山折りまたは谷折りすることにより、基材２０を、その長手方向に折り畳むことができる。
【００７６】
また、本実施形態の採光装置４４０では、採光装置４４０を窓ガラスに沿って設置して場合、基材２０のうち窓ガラスの下方側（屋内の床側）を向く領域２０Ａのみに、採光部３０が設けられている。
【００７７】
本実施形態の採光装置４４０によれば、基材２０が、その長手方向において蛇腹折りされているため、基材２０を、その長手方向に折り畳むことができる。また、基材２０のうち領域２０Ａのみに、採光部３０が設けられているため、基材２０を折り畳んだときに、採光部３０同士が接触して、採光部３０が損傷することを防止できる。
【００７８】
［第１０実施形態］
（採光装置）
図２１は、本発明の第１０実施形態である採光装置の概略構成を示す側面図である。図２１において、図１Ａ〜図１Ｃに示した第１実施形態の採光装置と同一の構成要素には同一符号を付して、その説明を省略する。
本実施形態の採光装置４５０は、光透過性および可撓性を有する基材２０と、基材２０の一方の面（光入射面、屋外側に向く面）２０ａに、互いに隣接して設けられた突起部を有するとともに、光透過性を有する複数の採光部３０と、採光部３０が設けられた基材２０を巻き取る巻き芯４０と、を備えている。
【００７９】
本実施形態の採光装置４５０では、基材２０が、その長手方向と垂直な方向に設けられた折線２１にて折り曲げ可能となっている。この折線２１にて、基材２０が山折りまたは谷折りされて、基材２０が、その長手方向において蛇腹折りされている。また、折線２１にて、基材２０が山折りまたは谷折りすることにより、基材２０を、その長手方向に折り畳むことができる。
【００８０】
また、本実施形態の採光装置４５０では、採光装置４５０を窓ガラスに沿って設置して場合、基材２０のうち窓ガラスの上方側（屋内の天井側）を向く領域２０Ｂのみに、採光部３０が設けられている。
【００８１】
本実施形態の採光装置４５０によれば、基材２０が、その長手方向において蛇腹折りされているため、基材２０を、その長手方向に折り畳むことができる。また、基材２０のうち領域２０Ｂのみに、採光部３０が設けられているため、基材２０を折り畳んだときに、採光部３０同士が接触して、採光部３０が損傷することを防止できる。
【００８２】
［第１１実施形態］
（採光装置）
図２２は、本発明の第１１実施形態である採光装置の概略構成を示す側面図である。図２２において、図１Ａ〜図１Ｃに示した第１実施形態の採光装置と同一の構成要素には同一符号を付して、その説明を省略する。
本実施形態の採光装置４６０は、光透過性および可撓性を有する基材２０と、基材２０の一方の面（光入射面、屋外側に向く面）２０ａに、互いに隣接して設けられた突起部を有するとともに、光透過性を有する複数の採光部３０と、採光部３０が設けられた基材２０を巻き取る巻き芯４０と、基材２０の一方の面２０ａおよび採光部３０を覆うように設けられた保護層４７０と、を備えている。
【００８３】
本実施形態の採光装置４６０では、基材２０が、その長手方向と垂直な方向に設けられた折線２１にて折り曲げ可能となっている。この折線２１にて、基材２０が山折りまたは谷折りされて、基材２０が、その長手方向において蛇腹折りされている。また、折線２１にて、基材２０が山折りまたは谷折りすることにより、基材２０を、その長手方向に折り畳むことができる。また、基材２０を折り畳むのに伴って、基材２０と同様に保護層４７０も折り畳むことができる。
【００８４】
また、本実施形態の採光装置４６０では、基材２０の一方の面２０ａのほぼ全面に、採光部３０が設けられている。
【００８５】
本実施形態の採光装置４６０によれば、基材２０が、その長手方向において蛇腹折りされているため、基材２０を、その長手方向に折り畳むことができる。また、基材２０の一方の面２０ａおよび採光部３０を覆うように保護層４７０が設けられているため、基材２０を折り畳んだときに、採光部３０同士が接触して、採光部３０が損傷することを防止できる。
【００８６】
［第１２実施形態］
（採光装置）
図２３は、本発明の第１２実施形態である採光装置の概略構成を示す模式図である。図２３において、図１Ａ〜図１Ｃに示した第１実施形態の採光装置と同一の構成要素には同一符号を付して、その説明を省略する。
図２３において、符合１０００は部屋モデル、符号１００１は窓ガラス、符号１００２は部屋、符号１００２ａは天井、符号１００２ｂは床、符号１００３は床１００２ｂに立っている人を示す。
本実施形態の採光装置４８０は、光透過性および可撓性を有する基材２０と、基材２０の一方の面（光入射面、屋外側に向く面）２０ａに、互いに隣接して設けられた突起部を有するとともに、光透過性を有する複数の採光部３０と、採光部３０が設けられた基材２０を巻き取る巻き芯４０と、を備えている。
【００８７】
本実施形態の採光装置４８０では、窓ガラス１００１の下方側（床１００２ｂ側）に配置される採光部３０が、より窓ガラス１００１の上方側（天井１００２ａ側）に光を出射する特性を有するようにする。詳細には、図２３に示すように、窓ガラス１００１の下方側（床１００２ｂ側）から窓ガラス１００１の上方側（天井１００２ａ側）に向かって、窓ガラス１００１の上方側（天井１００２ａ側）に光を出射する特性が次第に弱くなるように、採光部３０を設ける。このようにすれば、窓ガラス１００１の下方側や人１００３の目線の高さ近傍から入射した光を、天井１００２ａ側に出射させて、人１００３の目に光が入射することを防止することができる。また、窓ガラス１００１の上方側から入射した光を、部屋１００２の奥まで到達させることができるため、屋内の広い範囲に光を照射できる。
【００８８】
なお、本実施形態では、基材２０の一方の面２０ａに採光部３０のみが設けられた場合を例示したが、本実施形態はこれに限定されない。本実施形態にあっては、基材２０の一方の面２０ａおよび他方の面２０ｂの少なくとも一方側における採光部３０と対向する位置に、採光部３０を透過した光を散乱する光散乱部が設けられていてもよい。
【００８９】
［第１３実施形態］
（採光装置）
図２４Ａ〜図２４Ｃは、本発明の第１３実施形態である採光装置の概略構成を示す図であり、図２４Ａは模式図、図２４Ｂは採光部を示す正面図、図２４Ｃは採光部を示す正面図である。図２４Ａ〜図２４Ｃにおいて、図１Ａ〜図１Ｃに示した第１実施形態の採光装置および図２３に示した第１２実施形態の採光装置と同一の構成要素には同一符号を付して、その説明を省略する。
本実施形態の採光装置４９０は、光透過性および可撓性を有する基材２０と、基材２０の一方の面（光入射面、屋外側に向く面）２０ａに、互いに隣接して設けられた突起部を有するとともに、光透過性を有する複数の採光部３０と、採光部３０が設けられた基材２０を巻き取る巻き芯４０と、を備えている。
【００９０】
本実施形態の採光装置４９０では、図２４Ａに示すように、基材２０の一方の面２０ａにおいて、単位面積当たりに採光部３０が占める割合（基材２０の一方の面２０ａが採光部３０によって覆われている面積）が、窓ガラス１００１の下方側（床１００２ｂ側）から窓ガラス１００１の上方側（天井１００２ａ側）に向かって次第に大きくなっている。基材２０の一方の面２０ａにおける、採光部３０の配置としては、例えば、図２４Ｂに示すように、基材２０の一方の面２０ａにおいて、基材２０の長手方向と垂直な方向に沿在する複数の採光部３０同士の間隔を、窓ガラス１００１の下方側（床１００２ｂ側）から窓ガラス１００１の上方側（天井１００２ａ側）に向かって次第に短くするような配置が挙げられる。また、基材２０の一方の面２０ａにおける、採光部３０の配置としては、例えば、図２４Ｃに示すように、基材２０の一方の面２０ａにおける、窓ガラス１００１の下方側（床１００２ｂ側）では、採光部３０をドットマトリクス状に配置し、採光部３０の割合を、窓ガラス１００１の下方側（床１００２ｂ側）から窓ガラス１００１の上方側（天井１００２ａ側）に向かって次第に大きくするような配置が挙げられる。このようにすれば、窓ガラス１００１の下方側や人１００３の目線の高さ近傍から入射した光を、天井１００２ａ側に出射させて、人１００３の目に光が入射することを防止することができる。また、窓ガラス１００１の上方側から入射した光を、部屋１００２の奥まで到達させることができるため、屋内の広い範囲に光を照射できる。
【００９１】
なお、本実施形態では、基材２０の一方の面２０ａに採光部３０のみが設けられた場合を例示したが、本実施形態はこれに限定されない。本実施形態にあっては、基材２０の一方の面２０ａおよび他方の面２０ｂの少なくとも一方側における採光部３０と対向する位置に、採光部３０を透過した光を散乱する光散乱部が設けられていてもよい。
【００９２】
［第１４実施形態］
（採光装置）
図２５は、本発明の第１４実施形態である採光装置の概略構成を示す模式図である。図２５において、図１Ａ〜図１Ｃに示した第１実施形態の採光装置および図２３に示した第１２実施形態の採光装置と同一の構成要素には同一符号を付して、その説明を省略する。
本実施形態の採光装置５００は、光透過性および可撓性を有する基材５１０と、基材５１０の一方の面（光入射面、屋外側に向く面）５１０ａに、互いに隣接して設けられた突起部を有するとともに、光透過性を有する複数の採光部３０と、採光部３０が設けられた基材５１０を巻き取る巻き芯４０と、を備えている。
【００９３】
本実施形態の採光装置５００では、基材５１０としては、その長手方向に沿って透過率が次第に変化しているものを用いる。詳細には、基材５１０としては、透過率が、窓ガラス１００１の下方側（床１００２ｂ側）から窓ガラス１００１の上方側（天井１００２ａ側）に向かって次第に低くなっているものを用いる。
このような基材５１０としては、例えば、繊維の編み込みの密度が部分的に異なる織布が用いられる。すなわち、基材５１０としては、その長手方向に沿って、繊維の編み込みの密度が次第に低くなっているものを用いる。
【００９４】
本実施形態の採光装置５００によれば、透過率が、窓ガラス１００１の下方側（床１００２ｂ側）から窓ガラス１００１の上方側（天井１００２ａ側）に向かって次第に低くなっている基材５１０を用いるため、窓ガラス１００１の下方側や人１００３の目線の高さ近傍から入射した光が部屋１００２内に入射する量を低減して、人１００３の目に光が入射することを防止することができる。また、窓ガラス１００１の上方側から入射した光が部屋１００２内に入射する量を増加して、光が部屋１００２の奥まで到達させることができるため、部屋１００２内の広い範囲に光を照射できる。
【００９５】
［第１５実施形態］
（採光装置）
図２６は、本発明の第１５実施形態である採光装置の概略構成を示す模式図である。図２６において、図１Ａ〜図１Ｃに示した第１実施形態の採光装置および図２３に示した第１２実施形態の採光装置と同一の構成要素には同一符号を付して、その説明を省略する。
本実施形態の採光装置５２０は、光透過性および可撓性を有する基材２０と、基材２０の一方の面（光入射面、屋外側に向く面）２０ａに、互いに隣接して設けられた突起部を有するとともに、光透過性を有する複数の採光部３０と、基材２０に連接する遮光基材５３０と、採光部３０が設けられた基材２０および遮光基材５３０を巻き取る巻き芯４０と、を備えている。
【００９６】
本実施形態の採光装置５２０は、窓ガラス１００１の屋内側の面１００１ａの上側（天井１００２ａ側）に対向するように設けられる、採光部３０が設けられた基材２０と、基材２０に連接し、窓ガラス１００１の屋内側の面１００１ａの下側（床１００２ｂ側）に対向するように設けられる遮光基材５３０と、を備えている。
遮光基材５３０が基材２０に連接しているとは、遮光基材５３０が基材２０の下側に垂れ下がっていることを言う。
【００９７】
遮光基材５３０は、光不透過性の材料からなるロールスクリーン等から構成されている。
光不透過性の材料としては、例えば、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等の光透過性の樹脂に顔料を添加して、所定の形状に成形してなるフィルム（基材）や、光を透過しないアルミニウム箔、光を透過しない（織密度がかなり高い）織物（織布）等が用いられる。
【００９８】
本実施形態の採光装置５２０によれば、窓ガラス１００１の屋内側の面１００１ａの下側（床１００２ｂ側）が遮光基材５３０によって遮光され、窓ガラス１００１の屋内側の面１００１ａの上側（天井１００２ａ側）からのみ、基材２０および採光部３０を介して、部屋１００２内に光が入射するため、人１００３の目に光が入射することを防止することができる。また、窓ガラス１００１の上側から入射した光を部屋１００２の奥まで到達させることができるため、部屋１００２内の広い範囲に光を照射できる。
【００９９】
［第１６実施形態］
（採光装置）
図２７Ａ及び図２７Ｂは、本発明の第１６実施形態である採光装置の概略構成を示す図であり、図２７Ａは全体図、図２７Ｂは図２７Ａの一部を拡大した図である。図２８Ａ及び図２８Ｂは、本発明の第１６実施形態である採光装置の概略構成を示す側面図である。図２７Ａ、図２７Ｂ、図２８Ａおよび図２８Ｂにおいて、図１Ａ〜図１Ｃおよび図２に示した第１実施形態の採光装置並びに図２３に示した第１２実施形態の採光装置と同一の構成要素には同一符号を付して、その説明を省略する。
本実施形態の採光装置５４０は、光透過性および可撓性を有する基材２０と、基材２０の一方の面（屋内側に向く面）２０ａに、互いに隣接して設けられた突起部３１を有するとともに、光透過性を有する複数の採光部３０と、採光部３０が設けられた基材２０を巻き取る巻き芯４０と、を備えている。
【０１００】
基材２０には、光透過性や可撓性を損なわない範囲で、紫外線吸収剤や赤外線吸収剤が含まれていてもよい。基材２０に紫外線吸収剤や赤外線吸収剤が含まれていれば、外光による採光部３０の劣化を抑制することができる。
【０１０１】
本実施形態の採光装置５４０では、基材２０の他方の面（光入射面、屋外側に向く面）２０ｂに対向して光拡散シート５５０が設けられていてもよい。また、基材２０の一方の面（屋内側に向く面）２０ａに対向して光拡散シート５５０が設けられていてもよい。
【０１０２】
［第１７実施形態］
（採光装置）
図２９Ａ及び図２９Ｂは、本発明の第１７実施形態である採光装置の概略構成を示す図であり、図２９Ａは斜視図、図２９Ｂは平面図である。図２９Ａ及び図２９Ｂにおいて、図１Ａ〜図１Ｃに示した第１実施形態の採光装置と同一の構成要素には同一符号を付して、その説明を省略する。
本実施形態の採光装置５６０は、光透過性および可撓性を有する基材２０と、基材２０の一方の面（光入射面、屋外側に向く面）２０ａに、互いに隣接して設けられた突起部を有するとともに、光透過性を有する複数の採光部３０と、を備えている。
【０１０３】
本実施形態の採光装置５６０では、基材２０が、その幅方向と垂直な方向に設けられた折線２１にて折り曲げ可能となっている。この折線２１にて、基材２０が山折りまたは谷折りされて、基材２０が、その幅方向において蛇腹折りされている。また、折線２１にて、基材２０が山折りまたは谷折りすることにより、基材２０を、その幅方向に折り畳むことができる。すなわち、本実施形態の採光装置５６０は、基材２０の折線２１に沿う方向（基材２０の幅方向と垂直な方向）に吊り下げられて設置される。
【０１０４】
また、本実施形態の採光装置５６０では、採光装置５６０を窓ガラスに沿って設置して場合、基材２０のうち、窓ガラスに対する傾きがほぼ等しい領域のみに、採光部３０が設けられている。すなわち、折線２１を境として複数の領域からなる基材２０において、複数の領域の１つおきに、採光部３０が設けられている。
【０１０５】
本実施形態の採光装置５６０によれば、基材２０が、その幅方向において蛇腹折りされているため、基材２０を、その幅方向に折り畳むことができる。また、基材２０のうち、窓ガラスに対する傾きがほぼ等しい領域のみに、採光部３０が設けられているため、基材２０を折り畳んだときに、採光部３０同士が接触して、採光部３０が損傷することを防止できる。
【０１０６】
［第１８実施形態］
（採光装置）
図３０Ａ及び図３０Ｂは、本発明の第１８実施形態である採光装置の概略構成を示す図であり、図３０Ａは斜視図、図３０Ｂは平面図である。図３０Ａ及び図３０Ｂにおいて、図１Ａ〜図１Ｃに示した第１実施形態の採光装置と同一の構成要素には同一符号を付して、その説明を省略する。
本実施形態の採光装置５７０は、光透過性および可撓性を有する基材２０と、基材２０の一方の面（光入射面、屋外側に向く面）２０ａに、互いに隣接して設けられた突起部を有するとともに、光透過性を有する複数の採光部３０と、を備えている。
【０１０７】
本実施形態の採光装置５７０では、基材２０が、その幅方向と垂直な方向に設けられた折線２１にて折り曲げ可能となっている。この折線２１にて、基材２０が山折りまたは谷折りされて、基材２０が、その幅方向において蛇腹折りされている。また、折線２１にて、基材２０が山折りまたは谷折りすることにより、基材２０を、その幅方向に折り畳むことができる。すなわち、本実施形態の採光装置５７０は、基材２０の折線２１に沿う方向（基材２０の幅方向と垂直な方向）に吊り下げられて設置される。
【０１０８】
また、本実施形態の採光装置５７０では、採光装置５７０を窓ガラスに沿って設置して場合、基材２０のうち、窓ガラスに対する傾きがほぼ等しい領域のみに、採光部３０が設けられている。すなわち、折線２１を境として複数の領域からなる基材２０において、複数の領域の１つおきに、採光部３０が設けられている。
【０１０９】
本実施形態の採光装置５７０によれば、基材２０が、その幅方向において蛇腹折りされているため、基材２０を、その幅方向に折り畳むことができる。また、基材２０のうち、窓ガラスに対する傾きがほぼ等しい領域のみに、採光部３０が設けられているため、基材２０を折り畳んだときに、採光部３０同士が接触して、採光部３０が損傷することを防止できる。
【０１１０】
［第１９実施形態］
（採光装置）
図３１Ａ及び図３１Ｂは、本発明の第１９実施形態である採光装置の概略構成を示す図であり、図３１Ａは斜視図、図３１Ｂは平面図である。図３１Ａ及び図３１Ｂにおいて、図１Ａ〜図１Ｃに示した第１実施形態の採光装置と同一の構成要素には同一符号を付して、その説明を省略する。
本実施形態の採光装置５８０は、光透過性および可撓性を有する基材２０と、基材２０の一方の面（光入射面、屋外側に向く面）２０ａに、互いに隣接して設けられた突起部を有するとともに、光透過性を有する複数の採光部３０と、基材２０の一方の面２０ａおよび採光部３０を覆うように設けられた保護層５９０と、を備えている。
【０１１１】
本実施形態の採光装置５８０では、基材２０が、その幅方向と垂直な方向に設けられた折線２１にて折り曲げ可能となっている。この折線２１にて、基材２０が山折りまたは谷折りされて、基材２０が、その幅方向において蛇腹折りされている。また、折線２１にて、基材２０が山折りまたは谷折りすることにより、基材２０を、その幅方向に折り畳むことができる。また、基材２０を折り畳むのに伴って、基材２０と同様に保護層５９０も折り畳むことができる。すなわち、本実施形態の採光装置５８０は、基材２０の折線２１に沿う方向（基材２０の幅方向と垂直な方向）に吊り下げられて設置される。
【０１１２】
また、本実施形態の採光装置５８０では、基材２０の一方の面２０ａのほぼ全面に、採光部３０が設けられている。
【０１１３】
本実施形態の採光装置５８０によれば、基材２０が、その長手方向において蛇腹折りされているため、基材２０を、その長手方向に折り畳むことができる。また、基材２０の一方の面２０ａおよび採光部３０を覆うように保護層５９０が設けられているため、基材２０を折り畳んだときに、採光部３０同士が接触して、採光部３０が損傷することを防止できる。
【０１１４】
［第２０実施形態］
（採光装置）
図３２Ａ及び図３２Ｂは、本発明の第２０実施形態である採光装置の概略構成を示す図であり、図３２Ａは側面図、図３２Ｂは図３２Ａの一部を拡大した側面図である。図３２Ａ及び図３２Ｂにおいて、図２に示した第１実施形態の採光装置と同一の構成要素には同一符号を付して、その説明を省略する。
本実施形態の採光装置６００は、光透過性および可撓性を有する基材２０と、基材２０の一方の面２０ａに、互いに隣接して設けられた突起部３１を有するとともに、光透過性を有する採光部３０と、を備えている。
【０１１５】
採光部３０の支持基材３２には、その厚さ方向に沿って、切込６１０が設けられている。切込６１０を設ける間隔は、特に限定されないが、採光装置６００に求められる可撓性等に応じて適宜調整される。また、切込６１０の深さは、特に限定されないが、採光装置６００に求められる可撓性等に応じて適宜調整される。また、切込６１０の断面形状は、特に限定されず、Ｖ字状等、いかなる形状であってもよい。
【０１１６】
本実施形態の採光装置６００によれば、採光部３０の支持基材３２に、その厚さ方向に沿って切込６１０が設けられているため、採光部３０をその切込６１０で、採光部３０が設けられている面とは反対側の面（基材２０の他方の面２０ｂ）側に曲げることができるから、採光部３０が設けられた基材２０を隙間なく巻き取ることができる。
【０１１７】
（採光装置の製造方法）
図３３Ａ〜図３３Ｄを参照して、本実施形態の採光装置の製造方法の一例を説明する。
採光部３０となる樹脂シートを作製する。樹脂シートは、例えば、下記の方法で作製される。
まず、図３３Ａに示すように、複数の突起部６２１が並列に設けられた樹脂シート６２０を送り出すとともに、カッター６３０を回転させることにより、樹脂シート６２０の一方の面６２０ａに、カッター６３０の回転刃６３１を押圧する。カッター６３０は、並列に設けられた複数の回転刃６３１を備えている。樹脂シート６２０の一方の面６２０ａにおいて、回転刃６３１を押圧する位置は、突起部６２１同士の間とする。また、回転刃６３１を押圧する位置は、全ての突起部６２１同士の間ではなく、所定の数毎（例えば、３つの突起部６２１毎や、４つの突起部６２１毎）とする。これにより、図３３Ｂに示すように、樹脂シート６２０の長手方向に沿って、樹脂シート６２０の一方の面６２０ａに、切込６２２を形成する。
【０１１８】
次に、図３３Ｃに示すように、基材２０の一方の面２０ａに、複数の突起部６２１と複数の切込６２２が設けられた樹脂シート６２０を配設し、図３３Ｄに示すように、採光装置６００を得る。
【０１１９】
［採光システム］
図３４は、採光装置および照明調光システムを備えた部屋モデル２０００であって、図３５のＪ−Ｊ’線に沿う断面図である。図３５は、部屋モデル２０００の天井を示す平面図である。
【０１２０】
部屋モデル２０００において、外光が導入される部屋２００３の天井２００３ａを構成する天井材は、高い光反射性を有していてもよい。図３４および図３５に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１２１】
この光反射性天井材２００３Ａは、先に述べたように、採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１２２】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１２３】
採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１２４】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１２５】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１２６】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０１２７】
部屋２００３の窓２００２には、上部側に採光装置２０１０が設置され、下部側に日射調整装置２００８が設置されている。ここでは、日射調整装置２００８として、ブラインドが設置されているが、これに限定されない。
【０１２８】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１２９】
図３４および図３５に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）および奥行方向（Ｘ方向）に、それぞれ１．８ｍの間隔Ｐをおいて格子状に配置されている。
より具体的には、５０個の室内照明装置２００７が１０行（Ｙ方向）×５列（Ｘ方向）に配列されている。
【０１３０】
室内照明装置２００７は、室内照明器具（室内照明具）２００７ａと、明るさ検出部２００７ｂと、制御部２００７ｃと、を備え、室内照明器具２００７ａに明るさ検出部２００７ｂおよび制御部２００７ｃが一体化されて構成されたものである。
【０１３１】
室内照明装置２００７は、室内照明器具２００７ａおよび明るさ検出部２００７ｂをそれぞれ複数ずつ備えていてもよい。ただし、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００７ｂによって、室内に置かれた机２００５の机上面２００５ａの照度を検出する。
【０１３２】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【産業上の利用可能性】
【０１３３】
本発明のいくつかの態様は、採光フィルム、窓ガラス、ロールスクリーンおよび採光ルーバーに利用可能である。
【符号の説明】
【０１３４】
１０，１２０，１５０，１９０，３４０，３６０，３８０，４１０，４４０，４５０，４６０，４８０，４９０，５００，５２０，５４０，５６０，５７０，５８０，６００・・・採光装置、２０，１８０，３５０，３７０，３９０，５１０・・・基材、２１・・・折線、３０・・・採光部、３１，３５１，４０１・・・突起部、３２・・・支持基材、４０・・・巻き芯、５１・・・糸状の物質、５２，５３・・・粘着剤、６０，２２０，２７０，２７１・・・樹脂シート、６１・・・突起部、７０，２３０・・・転写ロール金型、９０，２５０・・・樹脂基材、１００，２６０・・・金型、１３０，２００・・・光散乱部、１３１・・・突起部、１４１，１４２，１６０，１７０，２１０，２５１・・・粘着剤、２０１・・・粘着層、２０２・・・フィラー、２２１，２８１・・・突起部、２８０・・・光硬化性樹脂、２９０・・・ローラー、３００・・・樹脂塗布装置、３３０・・・裁断装置、３７１・・・樹脂層、３７２・・・フィラー、４００，５５０・・・光拡散シート、４２０・・・固定用吊り金具、４３０・・・巻き上げ用紐、４７０，５９０・・・保護層、５３０・・・遮光基材、６１０・・・切込。
【図１Ａ】
2016175149.tif 000003
【図１Ｂ】
2016175149.tif 000004
【図１Ｃ】
2016175149.tif 000005
【図２】
2016175149.tif 000006
【図３Ａ】
2016175149.tif 000007
【図３Ｂ】
2016175149.tif 000008
【図３Ｃ】
2016175149.tif 000009
【図４Ａ】
2016175149.tif 000010
【図４Ｂ】
2016175149.tif 000011
【図４Ｃ】
2016175149.tif 000012
【図５Ａ】
2016175149.tif 000013
【図５Ｂ】
2016175149.tif 000014
【図５Ｃ】
2016175149.tif 000015
【図５Ｄ】
2016175149.tif 000016
【図５Ｅ】
2016175149.tif 000017
【図６】
2016175149.tif 000018
【図７Ａ】
2016175149.tif 000019
【図７Ｂ】
2016175149.tif 000020
【図７Ｃ】
2016175149.tif 000021
【図８Ａ】
2016175149.tif 000022
【図８Ｂ】
2016175149.tif 000023
【図８Ｃ】
2016175149.tif 000024
【図９】
2016175149.tif 000025
【図１０】
2016175149.tif 000026
【図１１】
2016175149.tif 000027
【図１２】
2016175149.tif 000028
【図１３】
2016175149.tif 000029
【図１４Ａ】
2016175149.tif 000030
【図１４Ｂ】
2016175149.tif 000031
【図１５Ａ】
2016175149.tif 000032
【図１５Ｂ】
2016175149.tif 000033
【図１５Ｃ】
2016175149.tif 000034
【図１５Ｄ】
2016175149.tif 000035
【図１６】
2016175149.tif 000036
【図１７】
2016175149.tif 000037
【図１８Ａ】
2016175149.tif 000038
【図１８Ｂ】
2016175149.tif 000039
【図１９Ａ】
2016175149.tif 000040
【図１９Ｂ】
2016175149.tif 000041
【図２０】
2016175149.tif 000042
【図２１】
2016175149.tif 000043
【図２２】
2016175149.tif 000044
【図２３】
2016175149.tif 000045
【図２４Ａ】
2016175149.tif 000046
【図２４Ｂ】
2016175149.tif 000047
【図２４Ｃ】
2016175149.tif 000048
【図２５】
2016175149.tif 000049
【図２６】
2016175149.tif 000050
【図２７Ａ】
2016175149.tif 000051
【図２７Ｂ】
2016175149.tif 000052
【図２８Ａ】
2016175149.tif 000053
【図２８Ｂ】
2016175149.tif 000054
【図２９Ａ】
2016175149.tif 000055
【図２９Ｂ】
2016175149.tif 000056
【図３０Ａ】
2016175149.tif 000057
【図３０Ｂ】
2016175149.tif 000058
【図３１Ａ】
2016175149.tif 000059
【図３１Ｂ】
2016175149.tif 000060
【図３２Ａ】
2016175149.tif 000061
【図３２Ｂ】
2016175149.tif 000062
【図３３Ａ】
2016175149.tif 000063
【図３３Ｂ】
2016175149.tif 000064
【図３３Ｃ】
2016175149.tif 000065
【図３３Ｄ】
2016175149.tif 000066
【図３４】
2016175149.tif 000067
【図３５】
2016175149.tif 000068
【国際調査報告】
2016175149.tif 000069
2016175149.tif 000070
2016175149.tif 000071
2016175149.tif 000072